(57)【特許請求の範囲】
【請求項１】
セパレータボルトの先端部を曲げ折って折り取る工具であって、管状の本体の先端にセパレータボルトの先端部を挿入する筒状の折り取り部を備えると共に、後端には折り取ったセパレータボルトの先端部を収容して蓄積する容器を備え、折り取り部には折り取ったセパレータボルトの先端部を折り取り部の内部に仮固定する保持機構を備えたものであるセパレータボルト先端部折り取り工具。
【請求項２】
保持機構は、筒状の折り取り部の内面に突出したブラシを備えたものである請求項１に記載のセパレータボルト先端部折り取り工具。
【請求項３】
保持機構は、筒状の折り取り部の内面に磁石を備えたものである請求項１に記載のセパレータボルト先端部折り取り工具。
【請求項４】
保持機構は、筒状の折り取り部の内面に突出した板バネを備えたものである請求項１に記載のセパレータボルト先端部折り取り工具。
【請求項５】
後端には更に、プラスチックコーンを取り外すためのソケットレンチを備えたものである請求項１乃至請求項４のいずれかに記載のセパレータボルト先端部折り取り工具。
【請求項６】
本体には更に、防錆塗料を噴射するスプレー缶を保持するスプレー缶保持具を備えたものである請求項１乃至請求項５のいずれかに記載のセパレータボルト先端部折り取り工具。
【発明の詳細な説明】
【技術分野】
【０００１】  本発明は、コンクリート型枠を固定するセパレータボルトの先端部を切断するための工具に関するものであり、より詳しくはセパレータボルトの先端部を曲げ折って折り取り、切断したセパレータボルトの先端部を回収して収容することができ、更にはプラスチックコーンを取り外すための工具も具備するなど、種々の作業を可能とし利便性を高めた工具に関するものである。
【背景技術】
【０００２】  コンクリート構造物の基礎および柱や壁あるいは梁などを作製する際には、板材にて型枠を形成して型枠内部に生コンクリートを流し込み、コンクリートが十分に硬化した後に型枠を取り除いて仕上げる工法が一般的である。この型枠は、生コンクリートを流し込む空間を規定するものであり、板材と板材との間隔を所定の寸法として保持し固定されるものである。【０００３】  詳しくは図７に示すように、先ず（ａ）のように２枚の板材１をセパレータボルト２とナット６にて所定間隔で固定し、次いで（ｂ）のように生コンクリート３を板材１と板材１の間の空間に流し込み、コンクリート３が硬化した後に２枚の板材１を取り除く。そして（ｃ）のようにコンクリート３から突出したセパレータボルト２の先端部４を切断する。
また、図８はプラスチックコーン５を用いた工法を示すものであり、（ａ）のようにセパレータボルト２の両端にプラスチックコーン５を配置し、（ｂ）のようにプラスチックコーン５と外側のナット６とにより板材１と板材１との間隔を所定の寸法として保持し固定する。次いで（ｃ）のように生コンクリート３を板材１と板材１の間の空間に流し込み、コンクリート３が硬化した後に２枚の板材１を取り除く。そして（ｄ）のようにコンクリート３に埋没しているプラスチックコーン５を取り外す。
プラスチックコーン５は図９（ｂ）に詳しく示すように、円錐状のプラスチック環７にオネジ部８とメネジ部９を備えた芯部材１０を嵌め込んだものであり、メネジ部９の基部に設けた六角ナット部１１を回転させることにより、コンクリート３に埋没している状態から外部へ取り外すことができるようになっている。
このように、型枠にて形成した基礎や柱あるいは壁や梁などを仕上げる際には、コンクリート３から突出したセパレータボルト２の先端部４や、コンクリート３に埋没しているプラスチックコーン５を取り除く作業が必要となる。【０００４】  従来、セパレータボルト２の先端部４を取り除くためには、例えばハンマーなどで叩き折る方法や筒状の専用工具を用いて曲げ折る方法が用いられていた。また、プラスチックコーン５を取り除くためには、図９（ａ）に示すようなソケットレンチ１２などの専用工具にて六角ナット部１１を回転させる方法が用いられていた。
このような作業については、例えば下記の文献に示すような器具や工具などが従来より提案されてきた。【０００５】
【特許文献１】  特開２０００−１４０４６３号公報
【特許文献２】  特開２００６−０６２０５４号公報
【特許文献３】  実開昭５８−１８１４７２号公報
【特許文献４】  実開昭６１−１７８６７８号公報
【発明の開示】
【発明が解決しようとする課題】
【０００６】  セパレータボルト２の先端部４を例えばハンマーなどで叩き折る方法では、折れた先端部４が落下するため、後に付近の床などに落下した先端部４を集めて回収する作業、即ち清掃作業が必要であった。しかし、この先端部４は強い力で打撃されて折れることにより切断されることから、方々に飛散し付近の床に広範囲に散乱することとなり、小さな鉄片である先端部４を集めて回収する作業は極めて煩雑なものであった。更には先端部４が何かの隙間や物陰に入り込んでしまった場合には、見つけ出したり取り出したりする必要があり、更に煩雑な作業を必要とするものであった。また、高所での作業は危険を伴うほか、下や付近に他の作業者が居る場合には特に注意を要するものであった。
一方、プラスチックコーン５を取り除くためにはソケットレンチ１２などの専用工具が必要であるが、セパレータボルト２の先端部４を取り除く作業とプラスチックコーン５を取り除く作業とが同時並行となる場合も多くあるため、現場での作業にはハンマーや専用工具類を複数持ち歩く必要があった。
また、コンクリート３内に残されるセパレータボルト２の先端部４を取り除いた切断部については、錆が発生することを防ぐために防錆塗料を塗布する作業も必要であった。
各種建築の現場において、セパレータボルト２やプラスチックコーン５は極めて多くの数量が使用されることから、これらを取り除く作業や防錆塗料の塗布作業および清掃作業などについて、従来より省力化および合理化が切に求められていた。【０００７】  本発明は、このような現状に鑑みて成されたものであり、セパレータボルトの先端部を曲げ折って折り取り、切断したセパレータボルトの先端部を回収して収容することができ、更にはプラスチックコーンを取り外すための工具も具備するなど、種々の作業を可能とし利便性を高めた工具を提供することを課題とするものである。
【課題を解決するための手段】
【０００８】  上記のような課題を解決するために、請求項１に係る本発明のセパレータボルト先端部折り取り工具は、管状の本体の先端にセパレータボルトの先端部を挿入する筒状の折り取り部を備えると共に、後端には折り取ったセパレータボルトの先端部を収容して蓄積する容器を備え、折り取り部には折り取ったセパレータボルトの先端部を折り取り部の内部に仮固定する保持機構を備えたものである。
請求項２に係る本発明のセパレータボルト先端部折り取り工具は、保持機構として筒状の折り取り部の内面に突出したブラシを備えたものである。
請求項３に係る本発明のセパレータボルト先端部折り取り工具は、保持機構として筒状の折り取り部の内面に磁石を備えたものである。
請求項４に係る本発明のセパレータボルト先端部折り取り工具は、保持機構として筒状の折り取り部の内面に突出した板バネを備えたものである。
請求項５に係る本発明のセパレータボルト先端部折り取り工具は、後端には更にプラスチックコーンを取り外すためのソケットレンチを備えたものである。
請求項６に係る本発明のセパレータボルト先端部折り取り工具は、本体には更に防錆塗料を噴射するスプレー缶を保持するスプレー缶保持具を備えたものである。
【発明の効果】
【０００９】  本発明のセパレータボルト先端部折り取り工具は、このような構成としたことにより、セパレータボルトの先端部を曲げ折って折り取り、切断したセパレータボルトの先端部を回収して収容することができるため、後の清掃作業を不要とすることができる。更には、プラスチックコーンを取り外すための工具を具備することにより、種々の作業を可能とし利便性を高めた工具とすることができる。また、防錆塗料を噴射するスプレー缶を保持するスプレー缶保持具を備えたことにより、セパレータボルトの先端部を取り除いた直後にその場で迅速に防錆塗料を塗布することができ、更に利便性を高めた工具とすることができる。
【発明を実施するための最良の形態】
【００１０】
【実施例】
【００１１】  本案の実施例を以下、図面に基づいて説明する。尚、各図に共通する部分には同一の符号を付し、重複する説明は省略する。
図１は本発明のセパレータボルト先端部折り取り工具の実施例を示す概略斜視図であり、セパレータボルト先端部折り取り工具２０は、管状の本体２１の先端にセパレータボルト２の先端部４を挿入する筒状の折り取り部２２を備えると共に、後端に折り取った先端部４を収容して蓄積する容器２３を備えたものである。また、後端部には更にプラスチックコーン５を取り外すためのソケットレンチ１２を備え、更に防錆塗料を噴射するスプレー缶２４を保持するスプレー缶保持具２５を本体２１に備えたものである。
このスプレー缶保持具２５はスプレー缶２４を保持すると共に遠隔操作機構２６を備えており、スプレー缶２４のスプレーヘッドを押圧するレバーを押下操作するワイヤーの端を引くことにより、手元の操作で防錆塗料を噴射して塗布することができるようになっている。尚、このような遠隔操作機構２６については、他にも様々な公知の機構を適宜採用することができ、その取付け方法や位置なども適宜に設計可能であり、詳細な説明は省略する。また、スプレー缶保持具２５の取り付け位置や角度および取り付け方法なども公知の技術を用いて適宜に設計可能であり、例えばスプレーヘッドを外したスプレー缶２４を本体２１に沿わせて配置し噴射口の軸線を折り取り部２２の軸線に接近させるなど、使い勝手に応じて様々な態様とすることも好ましいものである。【００１２】  図２はスプレー缶２４やスプレー缶保持具２５および遠隔操作機構２６を除いたセパレータボルト先端部折り取り工具２０の構造詳細を示す概略断面図である。
本体２１は管状となっており、本体２１の先端に備えた折り取り部２２はネジ込み式で着脱可能となっている。本体２１の後端に備えた容器２３には蓋２７が備えられており、この蓋２７を外して内部に蓄積したセパレータボルト２の先端部４を外部に排出することができるようになっている。本体２１の後端部に更に備えたソケットレンチ１２は図３に示すようにネジ込み式で着脱可能となっており、取り外して単独で使用することができるようになっている。【００１３】  セパレータボルト先端部折り取り工具２０は、このような構成となっていることにより、セパレータボルト２の先端部４を折り取り部２２に挿入し、図５に示すように後端を上下方向（ａ）や左右方向（ｂ）に振るように揺り動かすことにより、セパレータボルト２の先端部４を折り曲げて切断することができる。切断された先端部４は、本体２１が管状となっていることから管内を移動して容器２３内に収容され蓄積されるようになっている。
また、セパレータボルト先端部折り取り工具２０は、このような形状としたことにより、例えば本体２１の先端付近を一方の手で掴んで支持し、ソケットレンチ１２の後端付近を他方の手で掴んで力を加えるように操作することで広範囲な角度に亘り十分な力を加えることができ、操作性が良いものとすることができる。
尚、この実施例においては本体２１の形状を略直線状とし、その延長方向にソケットレンチ１２を配置したものとなっているが、この例に限らず例えば本体２１の形状を曲線状としたり、ソケットレンチ１２を本体２１に対して角度を設けて配置するなど、使い勝手に応じて様々な態様とすることも好ましいものである。更に、ソケットレンチ１２についても、その形状を直線状や曲線状あるいはクランク状など様々なものとするほか、ソケット部分をラチェット式とするなど、種々な態様とすることも好ましいものである。また、容器２３も本実施例のような形状や構造に限らず、例えば把持部を設けて手で掴んで力を加えることができるようにするなど、使い勝手に応じて様々な態様とすることも好ましいものである。【００１４】  図４は折り取り部２２の詳細を示す概略断面図であり、折り取り部２２には更に折り取ったセパレータボルト２の先端部４を折り取り部２２の内部に仮固定する保持機構を備えている。（ａ）は折り取り部２２の内面に突出したブラシ２８を環状に備えたものであり、（ｂ）は折り取り部２２の内面に磁石２９を環状に備えたものであり、（ｃ）は折り取り部２２の内面に突出した板バネ３０を環状に備えたものである。
このように折り取り部２２に保持機構を備えたことにより、図６に示すように、例えばブラシ２８を備えた折り取り部２２において、（ａ）のように折り取ったセパレータボルト２の先端部４をブラシ２８が撓んで折り取り部２２の内部に保持して仮固定することができ、次いで（ｂ）のように次の先端部４を挿入すれば、（ｃ）のように先の先端部４は押し込まれて外部に脱落することなく本体２１の内部を移動して容器２３内に収容される。
尚、図４において（ｂ）の磁石２９は磁力により先端部４を保持するものであり、（ｃ）の板バネ３０はブラシ２８と同様に撓んで先端部４を保持するものである。尚、保持機構としては他にも例えばゴムのようなものや、スプリングなどにて出没する突起状のものなど、多くのものを使用することができるほか、折り取り部２２の全体を磁石とすることも可能である。
【産業上の利用可能性】
【００１５】  以上、説明してきた如く本発明のセパレータボルト先端部折り取り工具は、セパレータボルトの先端部を曲げ折って折り取り、そして切断したセパレータボルトの先端部を回収して収容することができるため、後の清掃作業を不要とすることができるものである。
更には、プラスチックコーンを取り外すための工具を具備することにより、種々の作業を可能とし利便性を高めた工具とすることができるものである。
また、防錆塗料を噴射するスプレー缶を保持するスプレー缶保持具を備えたことにより、セパレータボルトの先端部を取り除いた直後に、その場で迅速に防錆塗料を塗布することができ、更に利便性を高めた工具とすることができるものである。
各種建築の現場においてセパレータボルトやプラスチックコーンは極めて多くの数量が使用されるものであることから、これらを取り除く作業や防錆塗料の塗布作業および清掃作業などについて省力化および合理化できる本発明のセパレータボルト先端部折り取り工具は、極めて有益なものであり大いに活用が期待されるものである。
【図面の簡単な説明】
【００１６】
【図１】  本発明の実施例を示す概略斜視図。
【図２】  図１に示す実施例の構造詳細を示す概略断面図。
【図３】  図２に示す構造詳細の要部を示す概略断面図。
【図４】  （ａ）（ｂ）（ｃ）はそれぞれ折り取り部に備えた保持機構の実施例を示す概略断面図。
【図５】  （ａ）（ｂ）はそれぞれ本発明のセパレータボルト先端部折り取り工具の使用状態を示す概略図。
【図６】  （ａ）（ｂ）（ｃ）はそれぞれ折り取り部の使用状態を示す概略断面図。
【図７】  型枠を用いてコンクリート構造物を作成する一般的な工法を示す概略断面図。
【図８】  型枠を用いてコンクリート構造物を作成する他の一般的な工法を示す概略断面図。
【図９】  （ａ）はソケットレンチを示す概略断面図。（ｂ）はプラスチックコーンの構造を示す概略断面図。
【符号の説明】
２    …  セパレータボルト
４    …  先端部
５    …  プラスチックコーン
１２  …  ソケットレンチ
２０  …  セパレータボルト先端部折り取り工具
２１  …  本体
２２  …  折り取り部
２３  …  容器
２４  …  スプレー缶
２５  …  スプレー缶保持具
２８  …  ブラシ
２９  …  磁石
３０  …  板バネ
【図１】
0004534239.tif 000002
【図２】
0004534239.tif 000003
【図３】
0004534239.tif 000004
【図４】
0004534239.tif 000005
【図５】
0004534239.tif 000006
【図６】
0004534239.tif 000007
【図７】
0004534239.tif 000008
【図８】
0004534239.tif 000009
【図９】
0004534239.tif 000010